(57)【要約】      （修正有）【課題】上下に二列の導電端子の間のクロストークを防止できる電気コネクタを提供する。【解決手段】上端口を含む絶縁性本体と、絶縁性本体に固着される複数の第１導電端子と、一対の保持部材とを備える。複数の第１導電端子は、前記上端口に挿入されて上下に沿って二列に配置される第１接触部と第１接触部から折り曲がる第１延在部とを含む。一対の保持部材は、それぞれ二列の第１接触部の上に固着されて該二列の第１接触部に当接する。該電気コネクタが回路基板に取り付けられる時、上、下保持部材は、回路基板から導電端子に対して発生される当接力を受ける。これにより、上、下列の第１導電端子は、上、下保持部によって、元の位置から離れて上向きに移動することを阻止される。これにより、上下列の第１導電端子の間のクロストークを防止できる。【選択図】図５
0003144131.tif 000002
【実用新案登録請求の範囲】
【請求項１】
上端口を含む絶縁性本体と、
前記絶縁性本体に固持され、前記上端口に挿入されて上下に沿って二列に配置される第１接触部と第１接触部から折り曲がる第１延在部とを含む複数の第１導電端子と、
それぞれ二列の第１接触部の上に固着されて該二列の第１接触部に当接する一対の保持部材と、
を備えることを特徴とする電気コネクタ。
【請求項２】
前記各保持部材は、第１導電端子の第１接触部と平行して第１導電端子が上向きに移動することを防止できる主体部と、主体部から下向きに延在して複数の第１導電端子の第１接触部を隔てる複数のセパレータとを有することを特徴とする請求項１に記載の電気コネクタ。
【請求項３】
前記各保持部材の主体部の両側には一対の係合部片が設けられ、前記絶縁性本体には、それぞれ前記一対の保持部材の両対の係合部片をガイドする両対のガイド溝が形成されることを特徴とする請求項２に記載の電気コネクタ。
【請求項４】
前記各保持部材は前記主体部から主体部と直交するように折り曲がる折部を有し、該折部が第１導電端子の延在部の後部に当接することを特徴とする請求項２に記載の電気コネクタ。
【請求項５】
前記保持部材の折部の両側には前記主体部と平行する一対の係合鉤が設けられ、前記絶縁性本体には前記保持部材の係合鉤と係合する係止部が設けられることを特徴とする請求項４に記載の電気コネクタ。
【請求項６】
前記絶縁性本体の上端口の下には下端口が形成され、該電気コネクタは複数の第２導電端子を具備し、該第２導電端子は前記下端口に挿入される第２接触部と、第２接触部から折り曲がる第２延在部とを備えることを特徴とする請求項１に記載の電気コネクタ。
【請求項７】
前記第２導電端子の第２延在部と第１導電端子の第１延在部が前後に沿って二列に配置され、該電気コネクタは第１、第２導電端子の延在部を収納する複数の定位溝が形成される定位部材を有することを特徴とする請求項６に記載の電気コネクタ。
【請求項８】
前記絶縁性本体には、突伸壁を含む一対の側壁を備え前記定位部材は前記絶縁性本体の突伸壁と係合する複数の鉤状部が設けられることを特徴とする請求項７に記載の電気コネクタ。
【請求項９】
前記電気コネクタは、絶縁性本体の上、下端口を覆う上、下筒状部と上、下筒状部の両側に形成される複数の固持溝とを含むハウジングと、ハウジングの固持溝に挿入される複数の係合部材とを有することを特徴とする請求項６に記載の電気コネクタ。
【考案の詳細な説明】
【技術分野】
【０００１】
本考案は、端子の間のクロストークを防止できる保持部材を含むコネクタに関するものである。
【背景技術】
【０００２】
特許文献１に開示された回路基板に実装される電気コネクタは、上、下本体と、前記上、下本体に被さる上、下ハウジングと、上、下本体に固着される複数のＬ字状の上、下導電端子と、上本体部に装着される保持部材とを備える。前記上導電端子は、上下に沿って二列に配置される接触部が設けられる。上導電端子の上列の接触部は上導電端子の下列の接触部より長い。前記上列の上導電端子は、前記保持部材によって上向きに移動することを防止できる。
【特許文献１】台湾実用新案公開第５７３８３７号明細書
【考案の開示】
【考案が解決しようとする課題】
【０００３】
前記上導電端子の接触部は、上、下列に配置される。回路基板に実装される導電端子は、回路基板によって上向きに移動しやすくなっている。上列の上導電端子は、保持部材によって上向きに移動することを防止できる。しかし、下列の上導電端子は、上向きに移動することを防止できない。これにより、上向きに移動する下列の上導電端子と上列の上導電端子との間には、クロストークが発生し易い。
【０００４】
そこで本考案の目的は、上述の従来技術の問題に鑑み、上下に二列の導電端子の間のクロストークを防止できる電気コネクタを提供することにある。
【課題を解決するための手段】
【０００５】
本考案の電気コネクタは、上端口を含む絶縁性本体と、絶縁性本体に固着される複数の第１導電端子と、一対の保持部材とを備える。複数の第１導電端子は、前記上端口に挿入されて上下に沿って二列に配置される第１接触部と、第１接触部から折り曲がる第１延在部とを含む。一対の保持部材は、それぞれ二列の第１接触部の上に固着されて該二列の第１接触部に当接する。
【考案の効果】
【０００６】
従来の技術に比較して本考案は以下の効果を有する。本考案の上、下列の第１導電端子には、上、下保持部材が実装される。該電気コネクタが回路基板に取り付けられる時、上、下保持部材は、回路基板から導電端子に対して発生される当接力を受ける。これにより、上、下の第１導電端子は、上、下保持部によって、元の位置から離れて上向きに移動することを阻止される。これにより、上下列の第１導電端子の間のクロストークを防止できる。
【考案を実施するための最良の形態】
【０００７】
以下、この考案の実施の形態を添付の図を参照して説明する。
【０００８】
図１乃至図６を参照すると、本考案の電気コネクタ１は、絶縁性本体２と、絶縁性本体２に挿入される複数の導電端子３と、絶縁性本体２に装着される一対の保持部材５と、絶縁性本体２の下に実装される定位部材６と、絶縁性本体２に被さるハウジング４とを備える。
【０００９】
図３及び図５において、絶縁性本体２は、上表面２０と、相手面２２と、一対の側壁２３とを有する。上表面２０には、前面から後向きに延在する固定孔２０１１が形成される固定部２０１が設けられる。上表面２０と側壁２３には、複数の凸状部片２４が設けられる。前記相手面２２には、前向きに突出する上端口２２１と、下端口２２２とが設けられる。上、下端口２２１、２２２の後部には、上端口２２１と貫通する複数の上端子溝２２３と、下端口２２３と貫通する複数の下端子溝２２７とが形成される。上、下端口２２１、２２２の両側には、複数の固持溝２２６が形成される。前記上、下端口２２１，２２２の間には、凹溝２２４が形成される。凹溝２２４には、固持孔２２５１が形成される凸柱２２５が設けられる。側壁２３の内側には、上ガイド溝２３１１と上ガイド溝２３１１より短い下ガイド溝２３１２とが形成される固持部２３１と、該固持部２３１の後部に設けられる上係止部２３２と、上係止部２３２の下に設けられる下係止部２３５と、が設けられる。各側壁２３の内側には、側壁２３の底端から上向きに延在する突伸壁２３３が設けられる。該突出壁２２３の底部には凹部２３４が形成される。各側壁２３の外側には固定部２５が設けられる。固定部２５は、上下に延在して固定部２５を貫通する貫通溝２５１と、下向きに突伸する固定脚２５２とを具備する。
【００１０】
各導電端子３は、それぞれ上下に配置されるＬ字状の上導電端子３１とＬ字状の下導電端子３２とを含む。上、下導電端子３１、３２は、それぞれ第１、第２接触部３１１、３２１及び第１、第２延在部３１２、３２２とを含む。
【００１１】
前記一対の保持部材５は、構造が共通の上保持部材５１と下保持部材５２を備える。上、下保持部材５１、５２は、それぞれ前向きに延在する主体部５３と主体部５３から折り曲がる折部５４とを有する。各主体部５３には、両側に設けられる細長い係合部片５３１と、下表面から延在する複数のセパレータ５３２とを有する。折部５４には、両側から前向きに延在する一対の係合鉤５４１が設けられる。
【００１２】
定位部材６は、階段状に配置される複数の定位溝６１と、定位部材６の両側から上向きに突伸する複数の鉤状部６２と、定位部材６の両側に設けられる複数の凸状部片６３と、を備える。
【００１３】
ハウジング４は、前壁４１と、前壁４１から後向きに延在する複数の側壁４４と、前壁４１の上端から上向きに突出する突伸部４６と、前壁４１のスロット４１１に装着される複数の係合部材４５と、を具備する。前壁４１は、前向きに突出する上筒状部４２と、下筒状部４３とを含む。各上筒状部４２、４３の両側には、複数のスロット４１１が形成される。各側壁４４と突伸部４６には、それぞれ溝部４４１と円孔４６１とが形成される。下筒状部４３と対応する下側壁４４には、下向きに突出する固持脚４４２が設けられる。係合部材４５は、片状部４５１と、片状部４５１から突出する当接部４５１１と、片状部４５１の上下辺から突出する干渉部４５１２と、片状部４５１の前端に設けられる一対の鉤部４５１３と、を含む。
【００１４】
図１乃至図６に示すように、該電気コネクタ１を取り付ける時、先ず、第２導電端子３２を絶縁性本体２の下端子溝２２７に挿入する。第１導電端子３１の中の下列の導電端子３１を上端子溝２２３に挿入する。挿入された第１、第２導電端子３１，３２の第１、第２接触部３１１、３２１を絶縁性本体２の上、下端口２２１，２２２に装入する。図５及び図６を参照すると、下保持部材５２が、下ガイド溝２３１２に沿ってガイドされて下列の第１導電端子３１に装着されている。下保持部材５２の係合鉤５４１を絶縁性本体２の下係止部２３５と係合させる。次に、上列の第１導電端子３１を絶縁性本体２の上端子溝２２３に挿入する。第２導電端子３２の第２延在部３２と第１導電端子３１の第１延在部３１は、前後に沿って二列に配置される。上保持部材５１が、上ガイド溝２３１１に沿ってガイドされて上列の第１導電端子３１に固着される。上保持部材５１の係合鉤５４１を、絶縁性本体２の上係止部２３２と係合させる。上列と下列の複数の第１導電端子３１の第１接触部３１１が、それぞれ上、下保持部材５１、５２のセパレータ５３２によって隔てられる。上、下保持部材５１，５２の折部５４を、上列と下列の第１導電端子３１の延在部３１２の後部に当接させる。
【００１５】
次に、定位部材６を絶縁性本体２の下端に実装させる。第１、第２導電端子３１、３２の第１、第２延在部３１１、３２１を定位部材６の定位溝６４１に挿入する。定位部材６の鉤状部６２を絶縁性本体２の突伸壁２３３と係合させ、凸状部片６３を絶縁性本体２の凹部２３４に嵌合させる。
【００１６】
ハウジング４を絶縁性本体２に被せる。ハウジング４の上、下筒状部４２，４３で、絶縁性本体２の上、下端口２２１、２２２を覆わせる。ハウジング４の円孔４６１は、絶縁性本体２の固定孔２０１１と対応してネジを収納できる。絶縁性本体２の凸状部片２４が、ハウジング４の溝部４４１に嵌め込まれる。最後に、前記係合部材４５の片状部４５１を、部分に絶縁性本体２の固持溝２２６に挿入する。係合部材４５の鉤部４５１３が外へ延在してハウジング４のスロット４１１と係合し、当接部４５１１と干渉部４５１２が固持溝２２６と係合する。一体になる電気コネクタ１の固定脚２５２と固持脚４４２とは回路基板（図示せず）と連接する。
【００１７】
前記上、下列の第１導電端子３１には、上、下保持部材５１、５２が実装される。該電気コネクタ１が回路基板に取り付けられる時、上、下保持部材５１，５２は、回路基板から導電端子に対して発生される当接力を受ける。これにより、上、下列の第１導電端子３１は、上、下保持部５１，５２によって、元の位置から離れて上向きに移動することを阻止される。これにより、上、下列の第１導電端子の間のクロストークを防止できる。
【００１８】
以上、本考案について最良の実施の形態を参照し詳細に説明したが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００１９】
【図１】本考案の電気コネクタの組立斜視図である。
【図２】図１に示す電気コネクタ他の組立斜視図である。
【図３】図１に示す電気コネクタの分解斜視図である。
【図４】図１に示す電気コネクタの他の分解斜視図である。
【図５】図１に示す電気コネクタの絶縁性本体の斜視図である。
【図６】図１に示す電気コネクタの第１導電端子が上、下保持部材と係合する斜視図である。
【符号の説明】
【００２０】
１  電気コネクタ
２  絶縁性本体
２０  上表面
２０１  固定部
２０１１  固定孔
２１  前表面
２２  相手面
２２１  上端口
２２２  下端口
２２３  上端子溝
２２４  凹溝
２２４１  係合溝
２２５  凸柱
２２５１  固持孔
２２６  固持溝
２２７  下端子溝
２３  側壁
２３１  固持部
２３１１  上ガイド溝
２３１２  下ガイド溝
２３２  上係止部
２３３  突伸壁
２３４  凹部
２３５  下係止部
２４  凸状部片
２５  固定部
２５１  貫通溝
２５２  固定脚
３  導電端子
３１  第１導電端子
３１１  第１接触部
３１２  第１延在部
３２  第２導電端子
３２１  第２接触部
３２２  第２延在部
４  ハウジング
４１  前壁
４１１  スロット
４２  上筒状部
４３  下筒状部
４４  側壁
４４１  溝部
４４２  固持脚
４５  係合部材
４５１  片状部
４５１１  当接部
４５１２  干渉部
４５１３  鉤部
４６  突伸部
４６１  円孔
５  保持部材
５１  上保持部材
５２  下保持部材
５３  主体部
５３１  係合部片
５３２  セパレータ
５４  折部
５４１  係合鉤
６  定位部材
６１  定位溝
６２  鉤状部
６３  凸状部片
【図１】
0003144131.tif 000003
【図２】
0003144131.tif 000004
【図３】
0003144131.tif 000005
【図４】
0003144131.tif 000006
【図５】
0003144131.tif 000007
【図６】
0003144131.tif 000008